(57)【要約】【課題】被施術者に対する安全性と、施術者に対する作業性が優れたワゴンおよびテーブルを提供する。【解決手段】被施術者３１が施術される際に用いられるピンセットなどが置かれる作業台本体２に、作業台本体２に対する位置が変化するテーブル１０が可動部材２０を介して備えられたワゴン１において、ピンセットなどを持った施術者３０の手が載置される載置部１２が、テーブル１０の一対の縁部１１に備えられている。【選択図】図３
2015181721.tif 000002
【特許請求の範囲】
【請求項１】
被施術者に施術がされる際に用いられる施術具が置かれる作業台本体に、この作業台本体に対する位置が変化するテーブルが可動部材を介して備えられたワゴンにおいて、
前記施術具を持った施術者の手が載置される載置部が前記テーブルに備えられた、
ことを特徴とするワゴン。
【請求項２】
前記載置部が、下方に向けて傾斜した面を有する、
ことを特徴とする請求項１に記載されたワゴン。
【請求項３】
前記施術が、まつ毛エクステンションを装着することであり、
前記テーブルが前記被施術者の顔面の近傍に配置され、
前記手が前記載置部に載置されることにより、前記施術の際に前記顔面に配置される前記施術者の手の姿勢とほぼ同様の姿勢が形成される、
ことを特徴とする請求項１または請求項２に記載されたワゴン。
【請求項４】
前記作業台本体に、前記可動部材が着脱される複数の着脱部が形成された、
ことを特徴とする請求項１から請求項３のいずれか１項に記載されたワゴン。
【請求項５】
被施術者に施術がされる際に用いられる施術具が置かれる作業台本体に、この作業台本体に対する位置を変化させる可動部材を介して備えられたテーブルにおいて、
前記施術具を持った施術者の手が載置される載置部が備えられた、
ことを特徴とするテーブル。
【発明の詳細な説明】
【技術分野】
【０００１】
本発明は、医療や理美容の現場において被施術者が施術される際、施術に用いられる施術具などが載置されるワゴンおよびテーブルに関するものである。
【背景技術】
【０００２】
従来、医療施設や理美容施設において被施術者が施術される際、施術に用いられる施術具などは、移動可能なワゴンなどに載置されて運ばれる。この様なワゴンの収納範囲を拡張する際に取り付けられる器具として、例えば、医療用ワゴン用の多目的容器装着具が下記特許文献１に記載されている。
【０００３】
この多目的容器装着具は、医療用ワゴンに形成された手押し用のハンドルに取り付けられ、この多目的容器装着具に医療器具などが収納される。
【先行技術文献】
【特許文献】
【０００４】
【特許文献１】特開２０１０−２４６７８０号公報
【発明の概要】
【発明が解決しようとする課題】
【０００５】
しかし、上記した多目的容器装着具は手押し用のハンドルに取り付けられるため、被施術者の患部に応じた位置に配置することができず、医療器具の収納場所が限られる。例えば、理美容施設などで被施術者の顔面に対して施術が行われる場合、施術者によってワゴンと顔面との間を薬品などが移動するため、顔面に対するワゴンの位置、施術者に対するワゴンの位置は、被施術者における安全性、および施術者に対する作業性の観点から重要である。
【０００６】
理美容院で行う施術等で特にワゴンの使用頻度の高いアイラッシュ（まつ毛エクステション）の施術に関していうと、まつ毛エクステションを被施術者のまつ毛に装着する際に用いられる接着剤（グルー）は、安全性の観点から、被施術者から離れた位置に置かれることが好ましい。しかし、接着剤は乾性であり、短時間でまつ毛エクステションを装着させる必要があるため、作業性の観点から、顔面および瞼に近い位置に置かれる場合がある。逆に、グルーが被施術者から離れた位置に置かれた場合、グルーと被施術者との間における作業範囲が広くなるため、施術者の手や視線の動きが多くなり、施術者の疲労感は増す。すなわち、安全性は優れるが、作業性が劣る。一方、グルーが顔面および瞼に近い位置に置かれる場合、ワゴンに備えられた可動可能なテーブルを顔面に対面させて配置し、そのテーブルの上にグルーが置かれる場合もある。この場合、作業性は優れるが、安全性が劣る。
【０００７】
本発明は、上記の実情に鑑みて提案されたものである。すなわち、理美容院等でのアイラッシュおよびアイブロウなどをはじめとするアイメイク分野で活用されるアイメイク施術に関し、被施術者に対する安全性と、施術者のストレス軽減および施術効率、施術技術の向上を図ることのできるワゴンおよびテーブルの提供を目的とする。
【課題を解決するための手段】
【０００８】
上記目的を達成するために、本発明に係るワゴンは、被施術者に施術がされる際に用いられる施術具が置かれる作業台本体に、この作業台本体に対する位置が変化するテーブルが可動部材を介して備えられ、前記施術具を持った施術者の手が載置される載置部が前記テーブルに備えられた、ことを特徴とする。
【０００９】
本発明に係るワゴンは、前記載置部が、下方に向けて傾斜した面を有する、ことを特徴とする。
【００１０】
本発明に係るワゴンは、前記施術が、まつ毛エクステションを装着することであり、前記テーブルが前記被施術者の顔面および瞼の近傍に配置され、前記手が前記載置部に載置されることにより、前記施術の際に前記顔面に配置される前記施術者の手の姿勢とほぼ同様の姿勢が形成される、ことを特徴とする。
【００１１】
本発明に係るワゴンは、前記作業台本体に、前記可動部材が着脱される複数の着脱部が形成された、ことを特徴とする。
【００１２】
本発明に係るテーブルは、被施術者に施術がされる際に用いられる施術具が置かれる作業台本体に、この作業台本体に対する位置を変化させる可動部材を介して備えられたテーブルにおいて、前記施術具を持った施術者の手が載置される載置部が備えられた、ことを特徴とする。
【発明の効果】
【００１３】
本発明に係るワゴンおよびテーブルは上記した構成である。この構成により、例えば、理美容施設などにおいて、被施術者に施術がされる際、可動部材を稼働させてテーブルが被施術者の近傍に配置され、施術に用いられる施術具を持った施術者の手が載置部に載置される。施術の準備の際、手が載置部に載置されることによって、施術時の手の姿勢と同様の姿勢が形成され、その姿勢を保持した状態で手を載置部から移動させて被施術者に添えられる。したがって、施術者に対する優れた作業性を実現することができる。また、テーブルが被施術者の近傍に配置可能であるため、短時間で手をテーブルから被施術者に向けて移動させることでき、施術者に対する作業性に優れ、被施術者に対しても高い安全性を実現することができる。
【００１４】
本発明に係るワゴンは、載置部が下方に向けて傾斜した面を有している。この構成により、載置部によって被施術者の顔面などの傾斜が疑似的に形成される。したがって、さらに優れた作業性を実現することができる。
【００１５】
本発明に係るワゴンは、例えばアイメイク分野の施術におけるまつ毛エクステンション施術に関し、テーブルが被施術者の顔面の近傍に配置され、手が載置部に載置されることにより、施術の際に顔面に配置される施術者の手の姿勢とほぼ同様の姿勢が形成されるものである。この構成により、例えば、理美容施設などにおいて、まつ毛エクステンションが被施術者のまつ毛に取り付けられる際、可動部材を稼働させてテーブルが顔面の近傍に配置され、施術に用いられる施術具を持った施術者の手が載置部に載置される。施術の準備の際、手が載置部に載置されることによって、施術時の手の姿勢と同様の姿勢が形成され、その姿勢を保持した状態で手をテーブルから移動させて顔面に添えられる。したがって、施術者に対する優れた作業性を実現することができる。また、作業性が優れているため、テーブルを極端に顔面に近づけることなく、顔面の近傍に配置することで、短時間で手をテーブルから瞼に動かすことができ、被施術者に対する高い安全性を実現することができる。
【００１６】
本発明に係るワゴンは、作業台本体に、可動部材が着脱される複数の着脱部が形成されている。この構成により、ワゴンに対してテーブルが可動する際の軸となる可動部材が、複数のうち任意の着脱部に着脱される。したがって、ワゴンに対するテーブルの向きが選択できるため、さらに優れた作業性を実現することができる。
【図面の簡単な説明】
【００１７】
【図１】本発明の実施形態に係るワゴンが示され、（ａ）が平面図、（ｂ）が底面図、（ｃ）が左側面図、（ｄ）が正面図、（ｅ）が右側面図、（ｆ）が背面図である。
【図２】本発明の実施形態に係るテーブルおよび可動部材が示され、（ａ）が平面図、（ｂ）が底面図、（ｃ）が左側面図、（ｄ）が正面図、（ｅ）が右側面図、（ｆ）が背面図である。
【図３】本発明の実施形態に係るワゴンおよびテーブルの使用状態を示す説明図である。
【発明を実施するための形態】
【００１８】
以下に、本発明の実施形態に係るワゴンおよびテーブルを図面に基づいて説明する。図１は本実施形態に係るワゴン１の六面図が示され、図２は本実施形態に係るワゴン１の可動部材２０およびテーブル１０の六面図が示されている。
【００１９】
図１および図２に示されているとおり、ワゴン１は、被施術者３１に施術がされる際に用いられる施術具が置かれる作業台本体２に、この作業台本体２に対する位置が変化するテーブル１０が可動部材２０を介して備えられている。具体的には、ワゴン１は、主にまつ毛エクステンション３２を被施術者３１のまつ毛に装着する際に用いられる（図３参照）。なお、まつ毛エクステンション３２の施術に限られず、ワゴン１は、例えば理美容施設、医療施設などにおいて様々な用途がある。
【００２０】
図１に示されているとおり、ワゴン１の作業台本体２は、ほぼ直方体であり、パイプ状に形成されたフレーム部材３、このフレーム部材３の底部の四隅に取り付けられた回転式キャスター４、フレーム部材３の上部に取り付けられた天板部５、フレーム部材３の内側に形成された空間に取り付けられた複数のラック部６、から構成されている。フレーム部材３の各脚は、可動部材２０が接続される着脱部７が形成されている。なお、作業台本体の形状、キャスターの個数や種類、ラック部の個数、着脱部の個数や場所は、いずれも任意である。
【００２１】
図２に示されているとおり、可動部材２０は、ほぼＬ字状に屈折した棒状の軸部２１、この軸部２１をフレーム部材３に連結するための連結具２２、この連結具２２に対する軸部２１の位置を調節する調節機構２５、軸部２１に取り付けられた板状部２６、から構成されている。
【００２２】
軸部２１は、水平軸部２７と鉛直軸部２８とが直角に連接されて形成されている。水平軸部２７は板状部２６が平行に取り付けられ、板状部２６に対面してテーブル１０が取り付けられている。鉛直軸部２８は、途中に連結具２２が取り付けられている。連結具２２は、側面から視して、ほぼコ字状に形成され、板状の連接片２３、この連接片２３の両端に連接された連結片２４から構成されている。連結片２４は連接片２３に対して直角に起立し、互いに対面して配置され、鉛直軸部２８が貫通している。連結具２２は、内側に調節機構２５が形成されている。調節機構２５は、テーブル１０を鉛直軸部２８の軸方向に移動させる際、または鉛直軸部２８を軸に回転させる際に用いられる。
【００２３】
可動部材２０は、鉛直軸部２８がフレーム部材３の脚に沿って配置され、連結具２２が着脱部７に取り付けられている。
【００２４】
図２に示されているとおり、テーブル１０は薄板状の四角形であり、各縁辺が起立して縁部１１が形成されている。各縁部１１のうち、対面する一対の縁部１１は載置部１２が形成されている。載置部１２は平板状であり、縁部１１の上端から外側の下方に向けて傾斜する面を有している。なお、テーブルの形状は、例えば多角形、円形であってもよい。また、載置部は、一対の縁部だけでなく、一辺の縁部のみ、または四辺の縁部すべてに形成されていてもよい。テーブルが多角形状であれば載置部は各辺の縁部に形成され、テーブルが円形であれば載置部は円環状に形成されていてもよい。
【００２５】
以上のとおり、ワゴン１およびテーブル１０が形成されている。
【００２６】
次に、ワゴン１およびテーブル１０の作用および効果を使用方法と共に図面に基づいて説明する。図３は、ワゴン１およびテーブル１０の使用状態を示す説明図である。
【００２７】
図３に示されたとおり、施術者３０は、仰向けに寝かされた被施術者３１の頭部側に座り、まつ毛にまつ毛エクステンション３２を装着する。その際、まつ毛エクステンション３２やグルーなどの施術具を載せたワゴン１を傍らに配置させる。可動部材２０を稼働させてテーブル１０を被施術者３１の顔面の側方に配置させる。すなわち、調節機構２５を調節し、テーブル１０を鉛直軸部２８の軸方向に移動させ、また、鉛直軸部２８を軸に回転させ、テーブル１０の位置を調節する（図２参照）。なお、施術者３０の利き腕に応じて、可動部材２０の連結具２２を任意の着脱部７に着脱し、ワゴン１に対するテーブル１０の位置を変更する（図２参照）。
【００２８】
まつ毛エクステンション３２が被施術者３１のまつ毛に取り付けられる際、まつ毛エクステンション３２やピンセットを持った施術者３０の片方の手の小指の付け根あたりが載置部１２に載置される。施術の準備の際、手が載置部１２に載置されることによって、施術される際に被施術者３１の顔面に沿える手の姿勢と同様の姿勢が形成され、そのままの姿勢で、手を載置部１２から移動させて顔面に添えられる。したがって、施術者３０に対する優れた作業性を実現することができる。また、作業性が優れているため、テーブル１０を極端に顔面に近づけることなく、顔面の側方に配置することで、短時間で手を載置部１２から瞼に向けて移動することができ、被施術者３１に対する高い安全性を実現することができる。なお、施術の方法に応じて、載置部１２は施術者３０の手の様々な箇所が載置され、また両手が載置される場合もある。
【００２９】
また、テーブル１０の各縁部１１のうち、対面する一対の縁部１１に載置部１２が形成されているため、施術者３０の利き腕に応じて、いずれかの載置部１２に手が載置される。したがって、さらに優れた作業性を実現することができる。
【００３０】
本実施形態に係るワゴン１は、載置部１２が平板状であり、縁部１１の上端から外側の下方に向けて傾斜した面を有している。この構成により、載置部１２によって被施術者３１の顔面などの傾斜が疑似的に形成される。したがって、さらに優れた作業性を実現することができる。
【００３１】
本実施形態に係るワゴン１は、フレーム部材３の各脚に、可動部材２０が接続される着脱部７が形成されている。この構成により、ワゴン１に対してテーブル１０が可動する際の軸となる可動部材２０が、複数のうち任意の着脱部７に着脱される。したがって、ワゴン１に対するテーブル１０の向きが選択できるため、さらに優れた作業性を実現することができる。
【００３２】
以上、本発明の実施形態を詳述したが、本発明は上記実施形態に限定されるものではない。そして本発明は、特許請求の範囲に記載された事項を逸脱することがなければ、種々の設計変更を行うことが可能である。
【符号の説明】
【００３３】
１                  ワゴン
２                  作業台本体
３                  フレーム部材
４                  回転式キャスター
５                  天板部
６                  ラック部
７                  着脱部
１０                テーブル
１１                縁部
１２                載置部
２０                可動部材
２１                軸部
２２                連結具
２３                連接片
２４                連結片
２５                調節機構
２６                板状部
２７                水平軸部
２８                鉛直軸部
３０                施術者
３１                被施術者
３２                まつ毛エクステンション
【図１】
2015181721.tif 000003
【図２】
2015181721.tif 000004
【図３】
2015181721.tif 000005